【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
独立した導体から構成される閉ループ形状の平面アンテナと、
ベースフィルム上に配設される第１のループアンテナ、前記第１のループアンテナに接続され、ダイバシティ機能を有するＩＣチップ、及び、前記ＩＣチップに接続され、前記第１のループアンテナに垂直配置される第２のループアンテナ、を有するインレットと、
を備えるＩＣタグであって、
前記インレットは、前記平面アンテナに対して、前記第１のループアンテナと前記第２のループアンテナの外辺と前記平面アンテナの周縁とが平行に近接する位置に配設され、
前記ＩＣチップは、受信強度に応じて前記第１のループアンテナと前記第２のループアンテナとを切換え選択するものであり、
前記平面アンテナは、前記インレットと並置される部分が直線形状であり、前記平面アンテナの角部に対角に一対の摂動素子部が設けられて円偏波用アンテナとされ、
前記平面アンテナは、更に、周囲の長さが１波長、前記摂動素子間の長さが約１／２波長、一方の摂動素子から前記ＩＣチップ近傍までの長さが約３／８波長、前記ＩＣチップ近傍から他方の摂動素子までの長さが約１／８波長であることを特徴とする非接触型ＩＣタグ。
【請求項２】
受信強度に応じて選択された前記第１のループアンテナまたは前記第２のループアンテナに近接した前記平面アンテナのインピーダンスと、前記ＩＣチップのインピーダンスとの整合がとられていることを特徴とする請求項１記載の非接触型ＩＣタグ。
【請求項３】
前記平面アンテナは、物体の裏面に形成されることを特徴とする請求項１記載の非接触型ＩＣタグ。
【請求項４】
前記平面アンテナは、２つの略方形からなり、各方形の１つの角部に切り欠き部を備え、互いに前記切り欠き部を介して形成されたループアンテナであり、前記インレットは、前記切り欠き部に相当する前記平面アンテナ角部近傍に位置することを特徴とする請求項１記載の非接触型ＩＣタグ。
【請求項５】
独立した導体から構成される閉ループ形状の平面アンテナと、ベースフィルム、第１のループアンテナ、第２のループアンテナ、及び受信強度に応じて前記第１のループアンテナと前記第２のループアンテナとを切換え選択するダイバシティ機能を有するＩＣチップ、を有するインレットと、を備える非接触型ＩＣタグの製造方法であって、
前記平面アンテナを形成する工程（ａ）と、
前記ベースフィルム上に前記第１のループアンテナ及び前記第２のアンテナを配設し、前記第１のループアンテナ及び前記第２のアンテナに前記ＩＣチップを接続し、前記ＩＣチップを介して前記第１のループアンテナ及び前記第２のアンテナを垂直配置することによって、前記インレットを形成する工程（ｂ）と、
前記平面アンテナを物体に形成する工程（ｃ）と、
前記インレットを、前記平面アンテナに対して、前記第１のループアンテナと前記第２のループアンテナの外辺と前記平面アンテナの周縁とが平行に近接する位置に配設し、装着する工程（ｄ）と、
を含み、
前記工程（ａ）は、前記インレットと並置される部分が直線形状となるように前記平面アンテナのパターンを形成し、前記平面アンテナの角部に対角に一対の摂動素子部を設けて円偏波用アンテナとし、更に、周囲の長さが１波長、前記平面アンテナに係る前記摂動素子間の長さが約１／２波長、一方の摂動素子から前記ＩＣチップ近傍までの長さが約３／８波長、前記ＩＣチップ近傍から他方の摂動素子までの長さが約１／８波長となるように前記平面アンテナのパターンを形成することを特徴とする非接触型ＩＣタグの製造方法。
【請求項６】
前記工程（ｃ）は、前記平面アンテナを物体の裏面に形成することを特徴とする請求項５記載の非接触型ＩＣタグの製造方法。
【請求項７】
前記工程（ａ）は、２つの略方形からなり、各方形の１つの角部に切り欠き部を備え、２つの方形が前記切り欠き部を介して連設する閉ループ形状となるように、前記平面アンテナのパターンを形成し、
前記工程（ｄ）は、前記インレットを、前記切り欠き部に相当する前記平面アンテナ角部近傍に配置することを特徴とする請求項５記載の非接触型ＩＣタグの製造方法。
【手続補正２】
【補正対象書類名】明細書
【補正対象項目名】００１０
【補正方法】変更
【補正の内容】
【００１０】
前述した目的を達成するために第１の発明は、独立した導体から構成される閉ループ形状の平面アンテナと、ベースフィルム上に配設される第１のループアンテナ、前記第１のループアンテナに接続され、ダイバシティ機能を有するＩＣチップ、及び、前記ＩＣチップに接続され、前記第１のループアンテナに垂直配置される第２のループアンテナ、を有するインレットと、を備えるＩＣタグであって、前記インレットは、前記平面アンテナに対して、前記第１のループアンテナと前記第２のループアンテナの外辺と前記平面アンテナの周縁とが平行に近接する位置に配設され、前記ＩＣチップは、受信強度に応じて前記第１のループアンテナと前記第２のループアンテナとを切換え選択するものであり、前記平面アンテナは、前記インレットと並置される部分が直線形状であり、前記平面アンテナの角部に対角に一対の摂動素子部が設けられて円偏波用アンテナとされ、前記平面アンテナは、更に、周囲の長さが１波長、前記摂動素子間の長さが約１／２波長、一方の摂動素子から前記ＩＣチップ近傍までの長さが約３／８波長、前記ＩＣチップ近傍から他方の摂動素子までの長さが約１／８波長であることを特徴とする非接触型ＩＣタグである。
【手続補正３】
【補正対象書類名】明細書
【補正対象項目名】００１１
【補正方法】変更
【補正の内容】
【００１１】
また、第１の発明は、受信強度に応じて選択された前記第１のループアンテナまたは前記第２のループアンテナに近接した前記平面アンテナのインピーダンスと、前記ＩＣチップのインピーダンスとの整合がとられていることが望ましい。
また、前記平面アンテナは、物体の裏面に形成されることが望ましい。
また、前記平面アンテナは、２つの略方形からなり、各方形の１つの角部に切り欠き部を備え、互いに前記切り欠き部を介して形成されたループアンテナであり、前記インレットは、前記切り欠き部に相当する前記平面アンテナ角部近傍に位置することが望ましい。
【手続補正４】
【補正対象書類名】明細書
【補正対象項目名】００１３
【補正方法】変更
【補正の内容】
【００１３】
第１の発明による非接触型ＩＣタグは、独立した導体から構成される閉ループ形状の平面アンテナと、ベースフィルム、ベースフィルム上に配設される第１のループアンテナ、第１のループアンテナに接続され、ダイバシティ機能を有するＩＣチップ、及び、ＩＣチップに接続され、第１のループアンテナに垂直配置される第２のループアンテナ、を有するインレットと、を備えるＩＣタグであって、インレットは、前記平面アンテナに対して、第１のループアンテナと第２のループアンテナの外辺と平面アンテナの周縁とが平行に近接する位置に配設され、ＩＣチップは、受信強度に応じて第１のループアンテナと第２のループアンテナとを切換え選択するものであり、平面アンテナは、インレットと並置される部分が直線形状であり、平面アンテナの角部に対角に一対の摂動素子部が設けられて円偏波用アンテナとされ、平面アンテナは、更に、周囲の長さが１波長、摂動素子間の長さが約１／２波長、一方の摂動素子からＩＣチップ近傍までの長さが約３／８波長、ＩＣチップ近傍から他方の摂動素子までの長さが約１／８波長である。
【手続補正５】
【補正対象書類名】明細書
【補正対象項目名】００１５
【補正方法】変更
【補正の内容】
【００１５】
また、第２の発明は、独立した導体から構成される閉ループ形状の平面アンテナと、ベースフィルム、第１のループアンテナ、第２のループアンテナ、及び受信強度に応じて前記第１のループアンテナと前記第２のループアンテナとを切換え選択するダイバシティ機能を有するＩＣチップ、を有するインレットと、を備える非接触型ＩＣタグの製造方法であって、前記平面アンテナを形成する工程（ａ）と、前記ベースフィルム上に前記第１のループアンテナ及び前記第２のアンテナを配設し、前記第１のループアンテナ及び前記第２のアンテナに前記ＩＣチップを接続し、前記ＩＣチップを介して前記第１のループアンテナ及び前記第２のアンテナを垂直配置することによって、前記インレットを形成する工程（ｂ）と、前記平面アンテナを物体に形成する工程（ｃ）と、前記インレットを、前記平面アンテナに対して、前記第１のループアンテナと前記第２のループアンテナの外辺と前記平面アンテナの周縁とが平行に近接する位置に配設し、装着する工程（ｄ）と、を含み、前記工程（ａ）は、前記インレットと並置される部分が直線形状となるように前記平面アンテナのパターンを形成し、前記平面アンテナの角部に対角に一対の摂動素子部を設けて円偏波用アンテナとし、更に、周囲の長さが１波長、前記平面アンテナに係る前記摂動素子間の長さが約１／２波長、一方の摂動素子から前記ＩＣチップ近傍までの長さが約３／８波長、前記ＩＣチップ近傍から他方の摂動素子までの長さが約１／８波長となるように前記平面アンテナのパターンを形成することを特徴とする非接触型ＩＣタグの製造方法である。
【手続補正６】
【補正対象書類名】明細書
【補正対象項目名】００２１
【補正方法】変更
【補正の内容】
【００２１】
インレット１０は、ベースフィルム２、ＩＣチップ３、第１のループアンテナ４、第２のループアンテナ５等を備える。ベースフィルム２の上に、略方形状のループ形状のループアンテナを配設し、第１のループアンテナ４に電気的に接続したＩＣチップ３と、ＩＣチップ３に接続し、第１のループアンテナ４にほぼ垂直に配設した、略方形状のループ形状の第２のループアンテナ５とからインレット１０を形成する。
ＩＣチップ３はダイバシティ機能を有するものであって、第１のループアンテナ４と第２のループアンテナ５の受信波を増幅してその強弱を判定し、スイッチ機構によりスイッチングを行う。ＩＣチップ３の２つの増幅回路は判定を正確に行うため、増幅特性、周波数特性等の電気的特性の同一性が要求される。
【手続補正７】
【補正対象書類名】明細書
【補正対象項目名】００３２
【補正方法】変更
【補正の内容】
【００３２】
次に、図４（ｂ）に示すように、基材１９上にアンテナ６、摂動素子部７からなる平面アンテナ１１を形成する（ステップＳ３０４）。アンテナ６は、２つの略方形からなり、アンテナ６角部に、対角に一対の導電性金属板である摂動素子部７を設ける。平面アンテナ１１は、例えば、基材１９にラミネートした金属箔をエッチングしたパターンや導電性インキにより印刷したパターンからなっている。
【手続補正８】
【補正対象書類名】明細書
【補正対象項目名】００３５
【補正方法】変更
【補正の内容】
【００３５】
インレット１０の基材であるベースフィルム２及び基材１９としては、ＰＥＴ（ポリエチレンテレフタレート）、ＰＥＴ−Ｇ（テレフタル酸−シクロヘキサンジメタノール−エチレングリコール共重合体）、ＰＰ（ポリプロピレン）、ＰＥ（ポリエチレン）、ＰＣ（ポリカーボネート）、ＰＡ（ポリアミド）、ＰＰＳ（ポリフェニレンサルフイド）、ポリ塩化ビニル、塩化ビニル−酢酸ビニル共重合体、セルロースジアセテート、セルローストリアセテート、ポリスチレン系、ＡＢＳ、ポリアクリル酸エステル、ポリエチレン、ポリウレタン等の素材が使用される。